(57)【要約】      （修正有）【課題】ゴミ袋にゴミを多く入れた場合にも袋の口を容易に閉じることができるゴミ袋の口封じ具を提供すること。【解決手段】所定長さのテープ片２を長手方向の中央位置で折り重ね、さらに、折り曲げられた各々の一端部３，３を外側へ谷折りにして二股状に形成し、二股とされた一端部３，３の対向面に形成された粘着剤層５に剥離紙７が貼り付けられた一組の口封じ片１を設け、それら口封じ片１の一端部３，３をゴミ袋の開口縁に夫々貼着して当該口封じ片の他端部４，４同士を結ぶようにした。【選択図】図２
0003139027.tif 000002
【実用新案登録請求の範囲】
【請求項１】
所定長さのテープ片を長手方向の中央位置で折り重ね、さらに、折り曲げられた各々の一端部を外側へ谷折りにして二股状に形成し、二股とされた一端部の対向面に形成された粘着剤層に剥離紙が貼り付けられた一組の口封じ片を設け、それら口封じ片の一端部をゴミ袋の開口縁に夫々貼着して当該口封じ片の他端部同士を結ぶことができるように設けたことを特徴とするゴミ袋の口封じ具。
【請求項２】
前記テープ片の一端部中央位置に所定寸法の切込みを形成し、その切込みの奥端部から前記谷折りを施すように設けたことを特徴とする請求項１に記載のゴミ袋の口封じ具。
【請求項３】
所定長さのテープ片の一端部に形成された粘着剤層に剥離紙が貼り付けられた一組の口封じ片を設け、それら口封じ片の一端部をゴミ袋の開口縁に夫々貼着して当該口封じ片の他端部同士を結ぶことができるように設けたことを特徴とするゴミ袋の口封じ具。
【考案の詳細な説明】
【技術分野】
【０００１】
本考案は、ゴミ袋の口封じ具に関するものである。
【背景技術】
【０００２】
一般的なゴミ袋は、四角形の短辺の一方を開放してゴミを入れる口が形成された形態とされている。ゴミ袋は市町村で指定されたものを家庭等で購入して使用することが一般的であり、ゴミ袋を経済的な面から少しでも有効に使おうとして口元まで一杯にゴミを詰める傾向にある。
【０００３】
ところが、ゴミ袋にゴミを詰めすぎると、袋の口縁を引き寄せて結んで口を閉じることが困難になる。そこで、例えば特許文献１には、ゴミを収めたゴミ袋の口縁を寄せてすぼめ、そのすぼめた箇所に粘着テープを巻いて貼り付け、或いはゴミ袋の口を四方向から折りたたみ、折りたたんだ箇所に粘着テープを貼り付けて口を閉じるようにした閉じ具が開示されている。
【０００４】
また、特許文献２には、ゴミを収めたゴミ袋の口縁を折り返して巻き込み、その巻き込み部と袋の上面にテープ基材を貼着し、テープ基材の中央部に設けた取手部を持ってゴミ袋を運ぶようにした取手付テープが開示されている。
【０００５】
上記文献に開示された閉じ具は、何れもゴミ袋の口縁をすぼめ又は折りたたんだ箇所に粘着テープを貼り付けて口を閉じる構成とされているが、ゴミ袋にゴミを多く入れた場合には口縁をたたむことが困難となり、口をうまく閉鎖できないという不都合を生ずる。また、ゴミ袋の口縁を折りたたんだ箇所に粘着テープを貼り付けて口を閉じる方法は、内部のゴミを分別処分のために確認する場合に開放が困難であるために、市町村によっては採用されていないということもある。
【特許文献１】実用新案登録第３１１５８０７号公報
【特許文献２】実用新案登録第３１１０３０２号公報
【考案の開示】
【考案が解決しようとする課題】
【０００６】
この考案の目的は、ゴミ袋にゴミを多く入れた場合にも袋の口を容易に閉じることができるゴミ袋の口封じ具を提供することにある。
【課題を解決するための手段】
【０００７】
前記目的を達成するために請求項１に記載の考案は、所定長さのテープ片を長手方向の中央位置で折り重ね、さらに、折り曲げられた各々の一端部を外側へ谷折りにして二股状に形成し、二股とされた一端部の対向面に形成された粘着剤層に剥離紙が貼り付けられた一組の口封じ片を設け、それら口封じ片の一端部をゴミ袋の開口縁に夫々貼着して当該口封じ片の他端部同士を結ぶことができるように設けたことを特徴とする。
【０００８】
同様の目的を達成するために請求項２に記載の考案は、請求項１に記載のゴミ袋の口封じ具において、前記テープ片の一端部中央位置に所定寸法の切込みを形成し、その切込みの奥端部から前記谷折りを施すように設けたことを特徴とするものである。
【０００９】
同様の目的を達成するために請求項３に記載の考案は、所定長さのテープ片の一端部に形成された粘着剤層に剥離紙が貼り付けられた一組の口封じ片を設け、それら口封じ片の一端部をゴミ袋の開口縁に夫々貼着して当該口封じ片の他端部同士を結ぶことができるように設けたことを特徴とする。
【考案の効果】
【００１０】
（請求項１、請求項２の考案）
このゴミ袋の口封じ具は、一組の口封じ片の二股状に設けられた一端部をゴミ袋の開口縁に夫々貼着してから当該口封じ片の他端部同士を結ぶようにしているので、ゴミ袋にゴミを多く入れた場合にも袋の口を容易に閉じることができると共に大変使い勝手が良い。さらに、施封後にも開封が容易であるので内部のゴミの確認が可能であり、分別回収に便利である。
【００１１】
（請求項３の考案）
このゴミ袋の口封じ具は、一組の口封じ片を簡素な形態としているので、軽量のゴミをゴミ袋に入れる場合に好適である。
【考案を実施するための最良の形態】
【００１２】
以下に、本考案の最良の形態例を図面に基づいて説明する。図１は本考案に係る口封じ片の斜視図、図２は一端部を二股状に開いた口封じ片の背面図、図３はテープ片の折りたたみ順序を示す説明図（イ）及び（ロ）、図４は口封じ片をゴミ袋の開口縁に貼着した状態を示す説明図、図５は図４に示す口封じ片の他端部同士を結んだ状態を示す説明図である。
【００１３】
本考案に係るゴミ袋の口封じ具ｆは、少なくとも２本一組の口封じ片１からなる。図３（イ）及び（ロ）に示すように、口封じ片１は、紙や合成樹脂製等の所定長さの可燃性テープ片２を長手方向の中央位置に所定寸法の切込みａを形成してから当該中央位置で折り重ね、さらに、折り曲げられた各々の一端部３，３を切込みａの奥端部ｂから斜め方向に外側へ谷折りｃにして二股状に形成している。
【００１４】
二股とされた一端部３，３の対向面には粘着剤層５，５を形成し、それら粘着剤層５，５に台形状の剥離紙７，７を貼り付けるように設ける。
しかして、一組の口封じ片１，１の一端部３，３をゴミ袋の開口縁に夫々貼着して当該口封じ片の他端部４，４同士を結ぶことができるゴミ袋の口封じ具ｆが構成される。
【００１５】
つぎに、本考案に係るゴミ袋の口封じ具ｆの使い方について述べる。
まず、口封じ片１，１の一端部３，３に貼り付けられた剥離紙７，７を剥がす。ついで、図４に示すように、ゴミをほぼ一杯に入れたゴミ袋１０の開口縁１０ａの前後中央位置に口封じ片１，１の一端部３，３を縦向きに夫々貼着してから、口封じ片１，１の他端部４，４同士を結ぶ。
同様に、開口縁１０ａの左右位置に口封じ片１，１の一端部３，３を縦向きに夫々貼着してから、口封じ片１，１の他端部４，４同士を結ぶ。これにより、ゴミ袋１０の口１１を確実に閉じることができる。
【００１６】
上述したゴミ袋の口封じ具ｆは、テープ片２を長手方向の中央位置で折り重ね、さらに、折り曲げられた一端部３，３を斜め方向に外側へ谷折りｃにして二股状に形成した構成とされている。これに対して、請求項３に記載したゴミ袋の口封じ具の口封じ片は、テープ片を長手方向で折り重ねることなく、テープ片の一端部に形成された粘着剤層に剥離紙を貼り付けた構成としている。このゴミ袋の口封じ具は、軽量のゴミを入れたゴミ袋に好適である。
【００１７】
上述したとおり、このゴミ袋の口封じ具は、一組の口封じ片の二股状に設けられた一端部をゴミ袋の開口縁に夫々貼着してから当該口封じ片の他端部同士を結ぶようにしているので、ゴミ袋にゴミを多く入れた場合にも袋の口を容易に閉じることができる。
【図面の簡単な説明】
【００１８】
【図１】本考案に係る口封じ片の斜視図
【図２】一端部を二股状に開いた口封じ片の背面図
【図３】テープ片の折りたたみ順序を示す説明図（イ）及び（ロ）
【図４】口封じ片をゴミ袋の開口縁に貼着した状態を示す説明図
【図５】図４に示す口封じ片の他端部同士を結んだ状態を示す説明図
【符号の説明】
【００１９】
ｆ・・・ゴミ袋の口封じ具
１・・・口封じ片
２・・・テープ片
ａ・・・切込み
ｃ・・・谷折り
３，３・・・一端部
４，４・・・他端部
５・・・粘着剤層
７・・・剥離紙
１０・・・ゴミ袋
１０ａ・・・開口縁
１１・・・口
【図１】
0003139027.tif 000003
【図２】
0003139027.tif 000004
【図３】
0003139027.tif 000005
【図４】
0003139027.tif 000006
【図５】
0003139027.tif 000007